(57)【要約】【課題】  長期に亘って保存しても高濃度の次亜塩素酸又は亜塩素酸による殺菌を実施することのできる殺菌液保存方法を提供する。【解決手段】  ガス封入耐圧缶体１０の２本の開閉弁付きノズル１１、１２に柔軟で変形可能な２つの内側容器１５、１６が収納されている。一方の内側容器１５には、次亜塩素酸ナトリウムの希釈水溶液がアルカリ調整液によりpＨ９以上調整されたアルカリ溶液が収容されている。他方の内側容器１６には、塩酸、硫酸、炭酸などの無機酸の水溶液または酢酸などの有機酸の水溶液が収容される。２液をノズル１１、１２を通じて同時に取り出して混合したときに次亜塩素酸の濃度が１０ｐｐｍ〜２０００ｐｐｍ、pＨ2.5〜7.５の殺菌液が生成される。【選択図】      図１
2004337582.tif 000002
【特許請求の範囲】
【請求項１】
ガスが封入される外側容器を用意する工程と、
次亜塩素酸塩又は亜塩素酸塩の希釈水溶液にアルカリ調整液を加えたpＨ９以上のアルカリ溶液を、前記外側容器内の第１の区分の中に、前記ガスの圧力により前記外側容器から吐出可能に収容するアルカリ収容工程と、
酸溶液を、前記外側容器内の第２の区分の中に、前記ガスの圧力により前記外側容器から吐出可能に収容する酸収納工程と、
前記外側容器の中にガスを充填して、該ガスにより前記第１、第２の内側容器に圧力を加えた状態に維持するガス充填工程とを有し、
前記アルカリ溶液と前記酸溶液とが、これらを前記外側容器から吐出させて混合させたときに、次亜塩素酸又は亜塩素酸の濃度が１０〜２０００ppm、pＨ2.5〜7.5の殺菌液を生成するように調整されていることを特徴とする殺菌液保存方法。
【請求項２】
前記第１、第２の区分の少なくとも一つの区分が、前記ガスの圧力により圧縮変形可能な内側容器によって形成されている、請求項１に記載の殺菌液保存方法。
【請求項３】
酸溶液を混合することにより、次亜塩素酸又は亜塩素酸の濃度が１０〜２０００ppm、pＨ2.5〜7.5の殺菌液を生成するための次亜塩素酸塩又は亜塩素酸塩の希釈水溶液を保存する殺菌液保存方法であって、
ガスが封入される外側容器を用意する工程と、
前記外側容器の中に収容され且つ前記ガスの圧力により圧縮可能な内側容器の中に、次亜塩素酸塩又は亜塩素酸塩の希釈水溶液にアルカリ調整液を加えたpＨ９以上のアルカリ溶液を、前記ガスの圧力により前記外側容器から吐出可能に収容するアルカリ収容工程とを有することを特徴とする殺菌液保存方法。
【請求項４】
ガス封入容器の中に、次亜塩素酸塩又は亜塩素酸塩の希釈水溶液にアルカリ調整液を加えたpＨ９以上のアルカリ溶液と、該アルカリ溶液と混合することにより次亜塩素酸又は亜塩素酸の濃度が１０〜２０００ppm、pＨ2.5〜7.5の殺菌水を生成することのできる酸溶液とが、互いに混じり合わないように収容されていることを特徴とする殺菌液保存方法。
【請求項５】
前記アルカリ調整液が苛性ソーダ溶液からなる請求項１〜４のいずれか一項に記載の殺菌液保存方法。
【請求項６】
前記酸溶液が、塩酸、炭酸、硫酸などの無機酸又は酢酸などの有機酸の希釈水溶液からなる、請求項１〜５のいずれか一項に記載の殺菌液保存方法。
【請求項７】
次亜塩素酸塩又は亜塩素酸塩の水溶液を含むpＨ９以上のアルカリ溶液と、該アルカリ溶液と混合することにより、次亜塩素酸又は亜塩素酸の濃度が１０〜１００００ppm、pＨ2.5〜7.5の殺菌水を生成する酸溶液とが互いに混じり合わないようにして一つの容器に収容されていることを特徴とする殺菌液保存方法。
【請求項８】
内側容器を有し、該内側容器内の第１空間と、前記内側容器の外側の第２空間との間の第２空間とを備えた内外２重の殺菌液収容容器を用意し、
次亜塩素酸塩又は亜塩素酸塩の水溶液を前記第１又は第２の空間の一方の空間に収容する第１工程と、
前記第１又は第２の空間の他方の空間に酸溶液を収容する第２工程とを有し、
前記内側容器の少なくとも一部を切断したときに、前記アルカリ水溶液と前記酸溶液とが混合して、次亜塩素酸又は亜塩素酸の濃度が１０〜１００００ppm、pＨ2.5〜7.5の殺菌液が生成されることを特徴とする殺菌液保存方法。
【請求項９】
前記次亜塩素酸塩又は亜塩素酸塩の水溶液にアルカリ調整液を添加して前記一方の空間内の溶液のpＨを９以上に調整する第３工程を更に有し、
前記内側容器の少なくとも一部を切断して前記１、第２の空間内の溶液が混合したときに、次亜塩素酸又は亜塩素酸の濃度が１０〜８００ppm、pＨ2.5〜7.5の殺菌液が生成される、請求項８に記載の殺菌液保存方法。
【請求項１０】
前記アルカリ調整液が苛性ソーダ溶液からなる請求項９に記載の殺菌液保存方法。
【請求項１１】
前記酸溶液が、塩酸、炭酸、硫酸などの無機酸又は酢酸などの有機酸の希釈水溶液からなる、請求項７〜１０のいずれか一項に記載の殺菌液保存方法。
【請求項１２】
２つのプッシュ式開閉弁付きノズルを備えた耐圧容器の中に、各開閉弁付きノズルに関連して設けられた２つの第１、第２の圧縮変形可能な内側容器と、
前記第１、第２の内側容器の回りに封入されたガスと、
前記第１、第２の内側容器のいずれか一方の内側容器の中に収容された次亜塩素酸塩又は亜塩素酸塩の希釈水溶液を主体としたアルカリ溶液と、
前記第１、第２の内側容器の他方の内側容器の中に収容され、前記アルカリ溶液と混合したときに次亜塩素酸又は亜塩素酸の濃度が１０〜２０００ppm、pＨ2.5〜7.5の殺菌液を生成することができる酸溶液とを有し、
前記アルカリ溶液が、アルカリ調整液を加えてpＨ９以上に調整されていることを特徴とする殺菌用容器。
【請求項１３】
２つのプッシュ式開閉弁付きノズルを備えた耐圧容器の中に、１つの開閉弁付きノズルに関連して設けられた１つの圧縮変形可能な内側容器と、
他方の開閉弁付きノズルに関連して設けられ且つ前記耐圧容器の底近傍まで延びるチューブと、
前記内側容器の回りに封入されたガスと、
前記内側容器又は前記耐圧容器のいずれか一方に収容された次亜塩素酸塩又は亜塩素酸塩の希釈水溶液を主体としたアルカリ溶液と、
他方の前記内側容器又は前記耐圧容器に収容され、前記アルカリ溶液と混合したときに、次亜塩素酸又は亜塩素酸の濃度が１０〜２０００ppm、pＨ2.5〜7.5の殺菌液を生成することができる酸溶液とを有し、
前記アルカリ溶液が、アルカリ調整液によりpＨ９以上に調整されていることを特徴とする殺菌用容器。
【請求項１４】
酸溶液と混合することにより、pＨ2.5〜7.5の次亜塩素酸又は亜塩素酸による殺菌液を生成するための殺菌用容器であって、
１つのプッシュ式開閉弁付きノズルを備えた耐圧容器の中に、前記開閉弁付きノズルに関連して設けられ且つ前記耐圧容器の底近傍まで延びるチューブと、
前記耐圧容器の中に封入されたガスと、
前記耐圧容器の中に収容され、次亜塩素酸塩又は亜塩素酸塩の希釈水溶液にアルカリ調整液を加えることによりpＨ９以上に調整されたアルカリ溶液とを有することを特徴とする殺菌用容器。
【請求項１５】
酸溶液と混合することにより、pＨ2.5〜7.5の次亜塩素酸又は亜塩素酸による殺菌液を生成するための殺菌用容器であって、
１つのプッシュ式開閉弁付きノズルを備えた耐圧容器の中に、前記開閉弁付きノズルに関連して設けられた圧縮変形可能な内側容器と、
前記耐圧容器の中に封入され、前記内側容器に圧力を加えるためのガスと、
前記内側容器の中に収容され、次亜塩素酸塩又は亜塩素酸塩の希釈水溶液にアルカリ調整液を加えることよりpＨ９以上に調整されたアルカリ溶液とを有することを特徴とする殺菌用容器。
【請求項１６】
耐圧容器と、
該耐圧容器に設けられ、２つの液導入ポートを備えた一つのプッシュ式開閉弁付きノズルと、
前記耐圧容器の中に収容され、前記２つの液導入ポートの各々に連通する第１、第２の２つの圧縮変形可能な内側容器と、
前記耐圧容器の中に封入され、前記内側容器に圧力を加えるためのガスと、
前記第１、第２の内側容器のいずれか一方の内側容器の中に収容された次亜塩素酸塩又は亜塩素酸塩の希釈水溶液を主体としたアルカリ溶液と、
前記第１、第２の内側容器の他方の内側容器の中に収容され、前記アルカリ溶液と混合したときに次亜塩素酸又は亜塩素酸の濃度が１０〜２０００ppm、pＨ2.5〜7.5の殺菌液を生成することができる酸溶液とを有し、
前記アルカリ溶液が、アルカリ調整液によりpＨ９以上に調整されていることを特徴とする殺菌用容器。
【請求項１７】
耐圧容器と、
該耐圧容器に設けられ、２つの液導入ポートを備えた一つのプッシュ式開閉弁付きノズルと、
前記耐圧容器の中に収容され、前記２つの液導入ポートのいずれか一方に連結され、前記耐圧容器の底近傍まで延びるチューブと、
前記耐圧容器の中に収容され、前記チューブが連結されていない液導入ポートに連結された圧縮変形可能な内側容器と、
前記耐圧容器の中に封入され、前記内側容器に圧力を加えるためのガスと、
前記内側容器又は前記耐圧容器のいずれか一方に収容された次亜塩素酸塩又は亜塩素酸塩の希釈水溶液を主体としたアルカリ溶液と、
他方の前記内側容器又は前記耐圧容器の中に収容され、前記アルカリ溶液と混合したときに次亜塩素酸又は亜塩素酸の濃度が１０〜２０００ppm、pＨ2.5〜7.5の殺菌液を生成することができる酸溶液とを有し、
前記アルカリ溶液が、アルカリ調整液によりpＨ９以上に調整されていることを特徴とする殺菌用容器。
【請求項１８】
キャップが螺着される口部を備えた外側容器と、
該外側容器の中に収容され，前記口部の端面と係合可能な外方フランジと、該外方フランジの近傍に設けられた水平段部とを有する内側容器と、
前記外側容器と前記内側容器との間に形成された第１空間又は前記内側容器内の第２空間のいずれか一方に収容された次亜塩素酸塩又は亜塩素酸塩の希釈水溶液と、
他方の前記第１空間又は第２空間に収容され、前記希釈水溶液と混合したときに次亜塩素酸又は亜塩素酸の濃度が１０〜１００００ppm、pＨ2.5〜7.5の殺菌液を生成することができる酸溶液と、
前記キャップの中に、前記水平段部を切断するための刃を上方に向けて収容された切断補助具とを有し、
前記キャップを外して、前記切断補助具を反転させて、前記刃を下向きにした状態で前記キャップを再び前記口部の螺着することにより、前記切断補助具の刃で前記水平段部を切断して、前記内側容器を前記外側容器の中に沈めることにより、前記次亜塩素酸塩又は亜塩素酸塩の希釈水溶液と前記酸溶液とを混合して、次亜塩素酸又は亜塩素酸の濃度が１０〜１００００ppm、pＨ2.5〜7.5の殺菌液を生成することができる殺菌用容器。
【請求項１９】
キャップが螺着される口部を備えた外側容器と、
該外側容器の中に収容された内側容器と、
前記外側容器と前記内側容器との間に形成された第１空間又は前記内側容器内の第２空間のいずれか一方に収容された次亜塩素酸塩又は亜塩素酸塩の希釈水溶液と、
他方の前記第１空間又は第２空間に収容され、前記希釈水溶液と混合したときに次亜塩素酸又は亜塩素酸の濃度が１０〜１００００ppm、pＨ2.5〜7.5の殺菌液を生成することができる酸溶液と、
帽部を上に向けた状態で前記キャップの中に収容されたハット状の補助具と、
該補助具に脱着可能に固定され、下端に切断刃を備え且つ前記内側容器の口部から底近傍まで延びる切断具とを有し、
前記キャップを外して、前記ハット状の補助具を反転させて、前記帽部を下向きにした状態で前記キャップを再び前記口部の螺着することにより、前記補助具を介して前記切断具を下方にストロークさせて該切断具の下端の刃によって前記内側容器の底を切断することにより前記次亜塩素酸塩又は亜塩素酸塩の希釈水溶液と前記酸溶液とを混合して、次亜塩素酸又は亜塩素酸の濃度が１０〜１００００ppm、pＨ2.5〜7.5の殺菌液を生成することができる殺菌用容器。
【請求項２０】
ガス封入の缶体の中に収容された２液を同時に吐出しながら混合することにより生成される次亜塩素酸又は亜塩素酸殺菌液を前記缶体から吐出するための開閉弁付きノズルであって、
外部に突出する方向にバネ付勢され、横方向に延び且つ吐出すべき液体が流入する液入口ポートが形成された円形凹部と、端面に開口して外部に液を吐出する吐出口とを備えたノズル本体と、
前記液入口ポートを臨む位置に配設されて、内周部が前記円形凹部に嵌合して前記液導入ポートを閉じる弁機構を構成する撓み変形可能な第１シートリングと、
前記２液の各々が通過可能な２つの液導入ポートと、
該２つの液導入ポートが合流した合流通路と、
横方向に延び、前記合流通路と前記缶体のガス封入空間とを連通するガス注入ポートと、
該ガス注入ポートに臨む位置に配設され、外周面が前記ガス注入ポートを開閉する弁機構を構成する撓み変形可能な第２シートリングと、
該第２シートリングの中央開口に臨んで位置し、前記ノズル本体の下端から前記第２シートリングの中央開口に向けて延びる弁棒とを有し、
前記ノズル本体を僅かに押し下げると、前記第１シートリングが下方に撓み変形して該第１シートリングの内周面が前記液入口ポートから離れることにより、前記缶体の中に封入されたガスの圧力により前記２つの液導入ポートから前記合流通路に入り込んだ２液が該合流通路を通過しながら混合された後に前記ノズル本体の吐出口から吐出され、
前記ノズル本体の吐出口をガス源に接続した状態で該ノズル本体を更に押し下げると、前記弁棒の先端が前記第２シートリングの中央開口を閉塞した状態で該第２シートリングを下方に撓み変形させ、これにより該第２シートリングの外周面が前記ガス注入ポートを開いて、前記ガス源からの封入ガスを前記缶体の中に注入することができることを特徴とする開閉弁付きノズル。
【発明の詳細な説明】
【技術分野】
【０００１】
この発明は、次亜塩素酸又は亜塩素酸（二酸化塩素）による殺菌に関し、より詳しくは、次亜塩素酸又は亜塩素酸を生成するための特別な装置を設置する必要が無く、手軽に且つ如何なる環境下であっても次亜塩素酸又は亜塩素酸による殺菌を可能にすることのできる殺菌液保存方法及び殺菌用容器並びにこれに用いられる開閉弁付きノズルに関する。
【背景技術】
【０００２】
手軽に殺菌液を使用する一つの形態として、従来から、片手で持ち運びできるハンディな缶容器の内面を耐薬品性及び耐腐食性処理を施し、この缶容器の中に、塩化ベンゼルコニュームとアルコール等との混合液からなる殺菌液を圧縮ガスまたは液化ガスと共に充填したものが市販されている。この種の殺菌容器は、その頂部に配置されたノズルを指で押し下げることにより殺菌液を噴霧させることができるため、手軽に殺菌液を使用できるメリットがあるものの、塩化ベンゼルコニュームとアルコール等との混合液からなる殺菌液は手にべたつき、しかも食品に直接散布することができないなど適用できる範囲が限定的である。
【０００３】
また、消毒用アルコール液を噴射して、食品や手などに使用する殺菌スプレ−が周知であり多用されているが、アルコール自体が手あれの原因になるため、特に女性の多い職場ではアルコール殺菌の評判が悪い、という問題があるだけでなく、アルコールを使用し続けると耐性菌が発生してしまうという問題がある。
【０００４】
このような問題を解消できる殺菌方法として、次亜塩素酸及び亜塩素酸を用いた殺菌が知られている。この殺菌方法によれば、殺菌スペクトルが広いという利点や、ウイルスから真菌まで殺菌することができ、また、耐性菌を生じないという利点の他に、酸性状態に調整して使用すると手荒れやアレルギー性の問題も無いという利点がある。
【０００５】
例えば、次亜塩素酸を生成するのに、次亜塩素酸ナトリウム（NaOCL）を加水分解する方法が知られている。これを化学式で表せば次のとおりである。
【０００６】
Ｎa＋＋ＯＣL−＋Ｈ２Ｏ  ⇔  ＨＯＣL＋Ｎa＋＋ＯＨ−
【０００７】
しかし、次亜塩素酸ナトリウムは強力な酸化剤であることから、その取り扱いに注意が必要であり、また、次亜塩素酸（HOCL）は運搬や保管中に熱や光で分解し易く品質が安定しないという問題がある。このような問題は、亜塩素酸（二酸化塩素）でも同様である。このことから、電解法による生成装置（例えば、後にリストする特許文献１）が開発されているが、比較的高価な装置であることから、広く一般的な衛生管理に使用するのに設置コストの面から問題がある。
【０００８】
最近世界中を混乱させているSARS問題は、空間感染によって瞬く間に世界規模で広がり、しかも、新種のウイルスのため、どのようなルートで感染が拡大したのかの解明に時間を要し、加えて、治療法も確立していないことから、効果的な対応策が見いだせないでいるのが現状である。このSARS問題とは別に、各国における大量の抗生物質の使用による細菌やウイルスの変異化は色々な場所で急速に起こっている。
【０００９】
このようなウイルスを含む非常に広範な菌に対して、次亜塩素酸及び亜塩素酸による殺菌が効果的であることが認知されている。
【００１０】
特許文献２は、pＨ４〜８に調整した次亜塩素酸水溶液と圧縮ガス又は液化ガスとをハンディな缶容器の中に収容し、缶容器のノズルを押し下げることで、ガスにより次亜塩素酸水溶液を噴射させることを提案している。
【００１１】
この提案によれば、殺菌する場所や時間に関係なく、殺菌を必要な場所に缶容器を置いておき、必要な時に必要な量だけ次亜塩素酸水溶液を使用して殺菌することができるので、次亜塩素酸による効果的な殺菌を手軽に活用することができるという利点がある。また、持ち運びも自在なため、無医村地帯での医療行為の際に次亜塩素酸による殺菌を利用できるという点でも画期的な利点を有する。
【００１２】
【特許文献１】特公平６−７３６７５号公報
【特許文献２】特開２００３−３４３７５号公報
【発明の開示】
【発明が解決しようとする課題】
【００１３】
しかし、次亜塩素酸や亜塩素酸は、前述したように、温度の高い所で長期間安定して保存することができないという、商品として流通在庫上の難しい問題が未解決である。例えば、特許文献２で提案している缶容器（例えば５００ｐｐｍの次亜塩素酸水溶液を収容）を４５℃程度の温度環境に保管すると、１週間も経たないうちに濃度が半減してしまい、所望の殺菌効果が得られなくなってしまう。また、缶容器の内部は、圧縮ガス又は液化ガスによって加圧した状態にあることから、次亜塩素酸又は亜塩素酸の分解を促進してしまうことから、益々、在庫に耐えることができない。
【００１４】
この問題は、例えば、救急車の付属品としては、緊急な血液洗浄と同時に完全な殺菌を必要とする場合に看過できない問題である。また軍隊での使用や、テロによる生物化学兵器からの人体や環境を守るのに、何時どこで突然必要になるか分からないため、さまざまな在庫環境と使用状況であっても、安定した殺菌力を保持していることが求められる。
【００１５】
また、設備の整った病院であっても、殺菌液としてのアルコールを大量に消費し、このために莫大なコストを要して経営を圧迫しているのが実情である。しかも、数年前に岡山県で５０％のアルコール殺菌からセラチア菌の耐性菌が生まれ、セラチア菌による院内感染による死亡事故が発生して社会問題となっている。このことから、注射や点滴などの様々な治療において、手元での完全な殺菌を厳格に実施しようとすれば、一層多大なコストを要することになり、医療関係者にとって頭の痛い問題となっている。しかも、実際上の問題として、在庫ができ且つ手軽に使用できる態様で提供しないと、現場では使われないと言う課題を含んでいる。
【００１６】
しかも、例えばSARSの感染のような緊急を要する殺菌を実行しなければならない時に、誰もが空間殺菌の必要性を理解していても、一般家庭が高価な次亜塩素酸又は亜塩素酸生成装置を購入することは実際上困難である。
【００１７】
そこで、本発明の目的は、長期に亘って保存しても高濃度の次亜塩素酸又は亜塩素酸による殺菌を実施することのできる殺菌液保存方法及び殺菌用容器並びにこれに用いられる開閉弁付きノズルを提供することにある。
【００１８】
本発明の更なる目的は、在庫ができ且つ殺菌を要する現場で手軽に持ち運んで次亜塩素酸又は亜塩素酸による殺菌を実施することのできる殺菌液保存方法及び殺菌用容器並びにこれに用いられる開閉弁付きノズルを提供することにある。
【００１９】
本発明の更なる目的は、大量に且つ安価に市場に提供でき、これを入手した者が殺菌を要する現場で持ち込んで次亜塩素酸又は亜塩素酸による殺菌を実施することのできる殺菌用容器及びこれに用いられる開閉弁付きノズルを提供することにある。
【課題を解決するための手段】
【００２０】
かかる技術的課題は、本発明の第１の観点によれば、
ガス封入容器の中に、次亜塩素酸塩又は亜塩素酸塩の希釈水溶液にアルカリ調整液を加えたpＨ９以上のアルカリ溶液と、該アルカリ溶液と混合することにより次亜塩素酸又は亜塩素酸の濃度が１０〜２０００ppm、pＨ2.5〜7.5の殺菌水を生成することのできる酸溶液とが、互いに混じり合わないように収容されていることを特徴とする殺菌液保存方法を提供することにより達成される。
【００２１】
また、本発明の第２の観点によれば、上記の技術的課題は、
次亜塩素酸塩又は亜塩素酸塩の水溶液を含むpＨ９以上のアルカリ溶液と、該アルカリ溶液と混合することにより、次亜塩素酸又は亜塩素酸の濃度が１０〜１００００ppm、pＨ2.5〜7.5の殺菌水を生成する酸溶液とが互いに混じり合わないようにして一つの容器に収容されていることを特徴とする殺菌液保存方法を提供することにより達成される。
【００２２】
また、本発明にかかる殺菌用容器にあっては、上記の技術的課題を達成するために、基本的には、
２つのプッシュ式開閉弁付きノズルを備えた耐圧容器の中に、各開閉弁付きノズルに関連して設けられた２つの第１、第２の圧縮変形可能な内側容器と、
前記第１、第２の内側容器の回りに封入されたガスと、
前記第１、第２の内側容器のいずれか一方の内側容器の中に収容された次亜塩素酸塩又は亜塩素酸塩の希釈水溶液を主体としたアルカリ溶液と、
前記第１、第２の内側容器の他方の内側容器の中に収容され、前記アルカリ溶液と混合したときに次亜塩素酸又は亜塩素酸の濃度が１０〜２０００ppm、pＨ2.5〜7.5の殺菌液を生成することができる酸溶液とを有し、
前記アルカリ溶液が、アルカリ調整液を加えてpＨ９以上に調整されていることを特徴とする構成が採用されている。
【００２３】
また、本発明の殺菌用容器は、別の観点によれば、
酸溶液と混合することにより、pＨ2.5〜7.5の次亜塩素酸又は亜塩素酸による殺菌液を生成するための殺菌用容器であって、
１つのプッシュ式開閉弁付きノズルを備えた耐圧容器の中に、前記開閉弁付きノズルに関連して設けられ且つ前記耐圧容器の底近傍まで延びるチューブと、
前記耐圧容器の中に封入されたガスと、
前記耐圧容器の中に収容され、次亜塩素酸塩又は亜塩素酸塩の希釈水溶液にアルカリ調整液を加えることによりpＨ９以上に調整されたアルカリ溶液とを有することを特徴とする。
【００２４】
また、上記の技術的課題は、本発明の他の観点によれば、基本的には、
酸溶液と混合することにより、pＨ2.5〜7.5の次亜塩素酸又は亜塩素酸による殺菌液を生成するための殺菌用容器であって、
１つのプッシュ式開閉弁付きノズルを備えた耐圧容器の中に、前記開閉弁付きノズルに関連して設けられた圧縮変形可能な内側容器と、
前記耐圧容器の中に封入され、前記内側容器に圧力を加えるためのガスと、
前記内側容器の中に収容され、次亜塩素酸塩又は亜塩素酸塩の希釈水溶液にアルカリ調整液を加えることよりpＨ９以上に調整されたアルカリ溶液とを有することを特徴とする殺菌用容器を提供することにより達成される。
【００２５】
すなわち、本発明にあっては、ガスを封入した耐圧容器の中に、長期保存にも耐えることができるようにpＨを調整した次亜塩素酸塩又は亜塩素酸塩のアルカリ溶液と、酸溶液とが互いに混合しない状態で収容したことを特徴とし、封入ガス圧で２液を混合しながら吐出させることで、殺菌したい箇所に手軽に持ち運んで、殺菌液を吐出させることで次亜塩素酸又は亜塩素酸による殺菌が可能となるようにしてある。
【００２６】
また、常圧殺菌用容器であれば、次亜塩素酸塩又は亜塩素酸塩のアルカリ溶液と、酸溶液とが互いに混合しない状態で収容し、必要なときに、ユーザが薬品に触れない状態で容器内で２液を混合できるようにしたことを特徴としている。
【００２７】
本発明によれば、在庫つまり長期保存が可能であることから、これを大量に製造して安価に提供することができ、したがって、一般消費者が予め購入して家庭内に保存しておくことで、例えば最近世界中を混乱させているSARS問題のような緊急事態に対しても、家庭内の殺菌に利用することができる。また、これまで装置を設置することができない殺菌する場所や時間に関係なく、本発明に従う殺菌用容器を入手することで、必要な時に必要な量だけ殺菌液を吐出させて次亜塩素酸又は亜塩素酸による強力な殺菌を手軽に利用することができる。
【００２８】
また、本発明による常圧殺菌用容器つまりガスを封入していない殺菌用溶液であれば、比較的高濃度の２液を充填しておくことも容易であり、この容器内でユーザが２液を混合した後に適当に希釈して任意の濃度の殺菌液を使用することもできる。
【発明を実施するための最良の形態】
【００２９】
以下、図面を参照して本発明の実施の形態について説明する。
【００３０】
図１は、持ち運び可能且つ長期保存可能な殺菌用容器の第１実施例を示す。この第１実施例の殺菌用２液収容容器１００は、耐圧缶体１０と、その頂部に横並びに配置された２本のノズル１１、１２と、各ノズル１１、１２毎に設けられた開閉弁１３、１４とを有する。ノズル１１、１２は、バネ（図示せず）によって上方つまり開閉弁１３、１４を閉じる方向に付勢され、このノズル１１、１２を押し下げることにより開閉弁１３、１４が開かれて内容物がノズル１１、１２を通じて外部に放出される。この種のプッシュ式の開閉弁付きノズルは従来から周知であるので、その詳細な説明は省略する。
【００３１】
耐圧缶体１０は、プラスチック又は金属から成型される。耐圧缶体１０の大きさは、特に制限されるものではないが、現在数多く市販されている殺虫剤を内蔵してノズルを押すと殺虫剤が噴霧される殺虫スプレー程度の大きさ、つまり直径６〜７ｃｍ、高さ１７〜２２ｃｍ程度の円筒体であるのが、片手で把持して操作できるので都合が良いが、一人で持ち運べる程度の大きさ、例えば1.5リットルのビール缶程度の大きさであってもよく、また、１０リットル又は１５リットルの生ビール樽程度の大きさを有していてもよい。また、耐圧缶体１０を、例えば女性のハンドバッグに収容して常時携帯できるように小型化してもよい。
【００３２】
耐圧缶体１０の内部には、圧縮可能つまり柔軟で変形可能なバッグ状の２つの内側容器１５、１６が収納されている。この２つのバッグ状内側容器１５、１６は、ポリエチレン、ポリプロピレン、フッ素系樹脂、塩化ビニール系樹脂、ゴム系材質その他の耐薬剤性素材等から選択されたフィルム又はシート材料から作られるのがよい。
【００３３】
２つのバッグ状内側容器１５、１６は、夫々、開閉弁１３、１４を介してノズル１１、１２に連通可能である。すなわち、各バッグ状内側容器１５、１６には、各々独立した状態で開閉弁１３、１４及びノズル１１、１２が関連付けられており、一方のノズル１１を押し下げることにより一方の内側容器１５の内容物をノズル１１を通じて外部に放出することができ、他方のノズル１２を押し下げることにより他方の内側容器１６の内容物をノズル１２を通じて外部に放出することができる。
【００３４】
耐圧缶体１０の内部には、圧縮ガスまたは液化ガス、例えばＬＰガス又は窒素ガスが封入され、このガス圧により内側容器１５、１６は加圧された状態に置かれている。すなわち、耐圧缶体１０の内部には、前記２つの内側容器１５、１６の回りの空間１７にガスが封入された状態にあり、この封入ガスの圧力により、各内側容器１５、１６の内容物はノズル１１、１２を通じて外部に噴射される。
【００３５】
一方の内側容器１５には、次亜塩素酸塩及び／又は亜塩素酸塩、典型的には、次亜塩素酸ナトリウム及び／又は亜塩素酸ナトリウムの希釈水溶液がアルカリ調整液によりpＨ９以上、好ましくは、pＨ１０〜１２程度に調整されたアルカリ溶液の状態で収容される。説明の便宜上、アルカリ溶液を収容した内側容器１５をアルカリ収容容器という。次亜塩素酸ナトリウムや亜塩素酸ナトリウムの水溶液はアルカリ側で安定する性質がある。次亜塩素酸ナトリウムや亜塩素酸ナトリウムを水で薄めるとpＨが下がり、例えば２００ｐｐｍの次亜塩素酸ナトリウムではpＨ8.5程度まで下がってしまう。この希釈状態では１０％程度の次亜塩素酸が分離状態にあるため、長期間の保存すると次亜塩素酸が分解してしまう。アルカリ調整液として、例えば苛性ソーダ（ＮaＯＨ）などを適量添加してpＨ約９〜１２、好ましくはpＨ１０〜１２に調整することで次亜塩素酸ナトリウムを安定化することができる。
【００３６】
保存状態が過酷な、例えば軍隊などに於ける過酷な条件での保存を考慮に入れるのであれば、一方の内側容器１５内の溶液がpＨ１３以上の強アルカリ状態となるようにアルカリ調整液で調整するのがよい。
【００３７】
他方の内側容器１６には、塩酸、硫酸、炭酸などの無機酸の水溶液または酢酸などの有機酸の水溶液が収容される。説明の都合上、酸溶液を収容した内側容器１６を酸収容容器という。
【００３８】
双方の容器１５、１６からノズル１１、１２を通じて同時に取り出したアルカリ溶液と酸溶液との２液が混合したときに次亜塩素酸又は亜塩素酸の濃度が１０ｐｐｍ〜２０００ｐｐｍ、一般的には１０ｐｐｍ〜１０００ｐｐｍで、pＨ2.5〜7.５、好ましくはpＨ５〜６程度の殺菌液が生成できるように酸収容容器１６内の溶液の濃度を調整するのがよい。
【００３９】
人体に対して殺菌液を使用する場合、殺菌水は生理食塩水と同程度の塩化ナトリウムを含んでいるのが好ましい。ちなみに、生理食塩水の濃度は約0.9％である。次亜塩素酸ナトリウムなどは、若干の塩化ナトリウムを含有しているが、殺菌水に含まれる塩化ナトリウム濃度が約0.9％となるように、好ましくは酸溶液に塩化ナトリウムを添加するのがよく、及び／又はアルカリ溶液側に塩化ナトリウムを添加してもよい。
【００４０】
また、酸溶液として、例えば塩酸などに高濃度炭酸水（例えば溶存炭酸ガス２０００ppm以上又は過飽和炭酸水以上）を加えて希釈酸溶液を調製するようにしてもよい。これによれば、殺菌液は溶存炭酸ガスを含むことになり、患部に噴射したときに、発泡作用による洗浄効果を期待することができる。炭酸水を加えて酸溶液を調製した場合、殺菌液を人体に噴霧したときに、人体の体温で炭酸ガスとなって殺菌液から抜けてpＨがアルカリ側になってしまうことが考えられることから、炭酸水を加えて酸溶液を調製するときには、例えば塩酸だけで約pＨ5.5程度を維持できるように、酸溶液のpＨを低めに設定するのがよい。
【００４１】
上述した殺菌用２液収容容器によれば、ガス圧により耐圧缶体１０の内部が比較的高圧状態であるにも関わらず、アルカリ収容容器１５の中のアルカリ調整液によってpＨが調整されているため、流通過程での長期に亘る在庫で品質が劣化することを防止することができ、一般流通過程で殺菌用２液収容容器を販売することができる。したがって、一カ所で大量に殺菌用２液収容容器を製造することにより安価に提供することができ、これを入手した一般消費者や病院が手元に保管しておいて、必要に応じて、手軽に且つ場所を選ばずに次亜塩素酸又は亜塩素酸による安全で且つ強力な殺菌を行うことができる。特に、一般消費者であっても手元に保管できることから、殺菌用２液収容容器１００は、SARS問題のように突発的な病原菌の蔓延に対して効果的に且つ迅速に対処するのに極めて有効な手段となる。
【００４２】
また、殺菌液を酸性状態に調整した場合における次亜塩素酸又は亜塩素酸による殺菌は手荒れや耐性菌の発生を防止できるため、女性が例えばハンドバッグに殺菌用２液収容容器を忍ばせておいて、任意の場所の殺菌に使うことができるという利便性を提供することができる。
【００４３】
なお、殺菌用２液収容容器の２つのノズル１１、１２の先端の各々に、従来から殺虫スプレーなどで周知の噴霧ヘッド（図示せず）を取り付けて、各噴霧ヘッドを同時に押し下げるようにしてもよく、この場合、噴霧ヘッドの噴孔の向きが互いに交差するように噴霧ヘッドを取り付けることで、２つの噴霧ヘッドから放出された溶液が互いに衝突することにより２液を混合させるようにしてよいが、後述するように、２つのノズル１１、１２に共通の噴霧ヘッドを装着して、２つのノズル１１、１２から放出された２液を共通噴霧ヘッドの合流通路で混合させながら外部に噴射させるようにしてもよい。
【００４４】
噴霧ヘッドから殺菌液の放出の形態として、比較的広い範囲を殺菌するには霧化状態を生成する噴霧ヘッドを採用すればよく、例えば身体の傷口の膿を取り除きながら殺菌したいのであれば、直線状に噴射する噴霧ヘッドを採用すればよい。
【００４５】
図２は第２実施例の殺菌用１液収容容器１１０を示す。この殺菌用１液収容容器は、共通の缶容器本体を使用して、２本一組で、一方の缶容器には上述したアルカリ溶液を収容し、他方の缶容器には上述した酸溶液を収容した状態で製造される。
【００４６】
殺菌用１液収容容器は、一つのノズル１１と一つの開閉弁１３とを有し、開閉弁１３には、耐圧缶体１０の底部まで進入する可撓性チューブ２０が連結されている。可撓性チューブ２０の先端には錘２１を固着しておくのが好ましく、これにより、殺菌用１液収容容器の液体成分が少なくなっても、可撓性チューブ２０の先端が液体成分の中に沈下している状態を作ることができる。
【００４７】
耐圧缶体１０の内面には、この耐圧缶体１０を金属で作るときには、ポリエチレン、ポリプロピレン、フッ素系樹脂、塩化ビニール系樹脂、ゴム系材質その他の耐薬剤性素材等の何れか一つ又は複数の保護コーティング層２２を設けるのが耐食性を高める上で効果的である。
【００４８】
耐圧缶体１０の中には、上述したアルカリ溶液又は酸溶液が充填され、また、ＬＰガス又は圧縮窒素ガスなどが充填される。図２において、参照符号２５は、耐圧缶体１０の中に充填したアルカリ溶液又は酸溶液を示す。
【００４９】
このようにして製造したアルカリ充填缶容器と酸充填缶容器は、２本で１セットとして販売され、後に図１２、図１３を参照して説明する噴霧装置と一緒に使うと好都合であるが、片手でアルカリ充填缶容器を操作し、他方の手で酸充填缶容器を操作して２液を同時に噴霧又は噴射することにより混合させるようにしてもよい。そして、この２液が混合した状態で、上述した第１実施例と同様に、pＨ2.5〜7.５で次亜塩素酸又は亜塩素酸濃度が１０ｐｐｍ〜２０００ｐｐｍになるようにアルカリ溶液及び酸溶液が調整される。
【００５０】
第２実施例の殺菌用１液収容容器１１０の変形例を図３に示す。この変形例の殺菌用容器１１０Ａにあっては、ノズル１１及び開閉弁１３に関して、可撓性チューブ２０を連結する代わりに、可撓性のバッグ状内側容器１５を連結して、この内側容器１５の中にアルカリ溶液又は酸性溶液を充填し、バッグ状内側容器１５の回りに圧縮ガス又は液化ガスを充填するようにしてある。
【００５１】
図４は、第３実施例の殺菌用２液収容容器１２０を示す。この殺菌用２液収容容器１２０は２区分１袋式であり、耐圧缶体１０として金属製のボトルを使用する場合には、その内面に前述した保護コーティング層２２を設けるのがよい。
【００５２】
耐圧缶体１０は、第１実施例と同様に、２つのノズル１１、１２及び各々のノズル１１、１２と組になる２つ開閉弁１３、１４を有する。図３の例では、一方のノズル１１及び開閉弁１３には可撓性チューブ２０が装着され、この可撓性チューブ２０の先端には錘２４が固着されている。他方のノズル１１及び開閉弁１４には、柔軟な圧縮性のバッグ状内側容器１６が取り付けられている。
【００５３】
バッグ状内側容器１６の中には、前述したアルカリ溶液又は酸性溶液のいずれか一方が充填され、他方、耐圧缶体１０の内部には、他方の酸性溶液又はアルカリ溶液が充填され、また、ＬＰガスや窒素ガスが封入される。
【００５４】
第３実施例の殺菌用２液収容容器１２０は、第１実施例と実質的に同じやり方で、２つのノズル１１、１２を同時に押し下げることで、酸性溶液とアルカリ溶液を外部に放出させることにより次亜塩素酸又は亜塩素酸による殺菌を行うことができる。
【００５５】
上述した２つのノズル１１、１２を備えた殺菌用２液収容容器１００、１２０や２本一組の殺菌用１液収容容器１１０の合計２つのノズル１１を同時に操作して、内部溶液を外部に放出する過程で混合させて殺菌液を生成するのに好都合な混合噴霧ヘッド１５０を図５〜図１０に基づいて以下に説明する。
【００５６】
図５は、混合噴霧ヘッド１５０の縦断面図である。図６は、混合噴霧ヘッド１５０の内部通路の構造の理解を助けるための説明図である。図７は、混合噴霧ヘッド１５０の平面図である。図９は、混合噴霧ヘッド１５０の噴孔近傍を抽出した部分詳細断面図である。図１０は、混合噴霧ヘッド１５０に組み込まれる回転流生成部品の斜視図である。
【００５７】
図５及び図９を参照して、混合噴霧ヘッド１５０は、横向きに殺菌液を噴射する噴孔３０を備えたキャップ３１を有し、このキャップ３１はヘッド本体３２に螺着される。
【００５８】
図６は、２つのノズル１１、１２を備えた殺菌用２液収容容器１００に混合噴霧ヘッド１５０を装着した状態を図示している。この図６を参照して、混合噴霧ヘッド１５０は、２本のノズル１１、１２を受け入れるための第１、第２の２つの液導入ポート３５、３６を有する。第１液導入ポート３５に通じる第１通路３７と、第２液導入ポート３１に通じる第２通路３８とは合流して１本の合流通路３９に通じ、この合流通路３９の端には、キャップ３１の噴孔３０に臨む拡大室４０（図９）が形成されている。
【００５９】
噴孔部分を拡大して示す図９を参照して、拡大室４０には、シートリング４１を介して円筒状の整流部材４２が設けられ、また、この円筒状整流部材４２の中に回転流生成部材４３が装着されている。
【００６０】
回転流生成部材４３を抽出して示す図１０を参照して、流れ方向上流側の拡径部分４５と下流側の小径部分４６とを有し、この小径部分４６には、拡大室４０の長手方向に延びる複数の第１のフィン４７が周回り方向に等間隔に配置されている。この第１のフィン４７に対応して、円筒状整流部材４２には回転止めフィン４８が設けられ、この回転止めフィン４８と第１フィン４７とが係合することにより、回転流生成部材４３は位置決めされた状態で拡大室４０の中に保持されると共に第１フィン４７によって、回転流生成部材４３の小径部分４６には、回転流生成部材４３の長手方向に沿って延びる細長い通路４９（図９）が形成される。
【００６１】
回転流生成部材４３の先端面には、互いに対向する２つの部位５０、５０を切り欠いた形状の周囲リブ５１と、この周囲リブ５１で囲まれた円形平坦面５２とを有する。切欠き部分５０は、円形平坦面５２の接線方向に延びる形状を有し、これにより、互いに対向する切欠き部分５０を通って円形平坦面５２に入り込んだ液体は図１０に矢印で示すように、一方向に向けて流れるスワールを生成する。
【００６２】
回転流生成部材４３は、合流通路３９に臨む切頭円錐形の突起５５を有し、この突起５５は、合流通路３９の出口ポートに着座することにより、液体の流れを止める止水機能を発揮する。
【００６３】
混合噴霧ヘッド１５０を押し下げると、殺菌用容器１００の中に封入されたガスの圧力によって２つのバッグ状内側容器１５、１６からアルカリ溶液及び酸溶液の２液が噴出され、この２液は、混合噴霧ヘッド１５０の合流通路３９で一緒になって拡大室４０に入る。すなわち、２液は、合流通路３９で一次混合され、次いで、拡大室４０に入る。拡大室４０の中に入った２液混合液は、細長い通路４９を通り、切欠き部分５０を通って、回転流生成部材４３の先端面５２で旋回流となって２次混合される。
【００６４】
図９に矢印で示すように、キャップ３１は、これを一方向に回転させて回転流生成部材４３を合流通路３９の出口ポートに着座させることで、噴孔３１から殺菌液の吐出を止めることができ、逆方向に少し回転させると噴孔３１から霧化状態で殺菌液を吐出させることができ、更にキャップ３１を回転させると、噴孔３１から殺菌液を一直線に噴射させることができる。
【００６５】
すなわち、キャップ３１は、図９に矢印で示すように、時計方向及び反時計方向の両方向に回転させることで、回転流生成部材４３の切頭円錐形突起５５と合流通路３９の出口ポートとの間の距離を調整することができ、これにより、噴孔３１からの殺菌液の吐出を停止、霧状、シャワー状、一直線の噴射状態の態様を任意に設定することができる。
【００６６】
図１１は、混合噴霧ヘッド１５０の応用例を示す図である。混合噴霧ヘッド１５０に、透明且つ柔軟な包囲カバー６０を装着して治療に用いることができる。包囲カバー６０の先端開放端には、例えば円形に形作った細い針金６１を取り付けるのが好ましい。
【００６７】
このような治療用具を付加することで、蓐瘡などの傷口Ｕを覆うように包囲カバー６０を位置決めした後に、混合噴霧ヘッド１５０を押し下げることで医師や看護師などに感染する細菌性の膿の飛び散り防止を防止しつつ殺菌治療を実施することができる。この治療の際に、傷口の状態に応じてキャップ３１を回転させることにより、殺菌液を霧化状態から直線状の噴射状態まで適当な吐出態様を設定することができる。例えば膿の塊を取り除きたいときには、殺菌液を直線状に噴射する態様にセットし、膿の塊に向けて噴射することにより除去することもできる。透明で柔軟な治療用包囲カバー６０の形状は、この他にもベローズ式にしても良い。
【００６８】
図１２、図１３は、図２、図３を参照して説明した２本一組で使用するタイプの殺菌用１液収容容器に適用するのに好適な手動操作式噴霧システム１７０を示す。
【００６９】
手動操作式噴霧システム１７０は、酸及びアルカリ充填缶容器からなる２本一組の殺菌用１液収容容器１１０、１１０の合計２本のノズル（図１２、図１３には現れていない）に装着可能な混合噴霧ヘッド本体１７１と、このヘッド本体１７１にネジ付きスリーブ１７２を介して脱着可能なノズル１７３を有する。噴霧ヘッド本体１７１とノズル１７３の内部通路は、先に図６などを参照して説明した通路構成と実質的に同じであり、加えて、ノズル１７３の先端に設けられたキャップ１７４を時計方向及び反時計方向に回転させることにより、殺菌液の吐出態様を霧化状態から直線状の噴射状態まで変化できることも同様である。ノズル１７３は、その途中に回動軸部１７５が設けられ、ノズル１７３の向きを上下に調整することができる。
【００７０】
２本一組の殺菌用１液収容容器１１０、１１０は、互いに隣り合った状態でＬ字状の載置台１７７に搭載される。載置台１７７の起立プレート１７８の実質的な高さは、ネジ１７９によって調整可能であり、２本一組の殺菌用容器１１０、１１０は、起立プレート１７８の途中部分に固定されたベルト部材１８０によって固定される。
【００７１】
起立プレート１７８の上端には、Ｌ字状の揺動リンク１８２が軸１８３を中心に揺動可能に設けられている。揺動リンク１８２の第１のアーム１８４は、噴霧ヘッド本体１７１の中央部分と当接可能であり、また、下方に垂下する第２のアーム１８５は、定置したハンドル１８６に隣接して配置されている。ハンドル１８６と第２アーム１８５との間にはバネ１８７が設けられ、このバネ１８７によって、第１アーム１８４が噴霧ヘッド本体１７１から離れる方向つまり上方に変位するように付勢されている。
【００７２】
ハンドル１８６と第２アーム１８５を握ると、第１アーム１８４の先端部が噴霧ヘッド本体１７１を押し下げ、これにより一組の殺菌用１液収容容器１１０、１１０の各々から同時に内部ガス圧によってアルカリ液及び酸性液が吐出され、この２液は、混合噴霧ヘッド本体１７１の内部合流通路で１次混合され、ノズル１７３の内部でスワールにより２次混合された後に外部に噴射される。
【００７３】
逆に、ハンドル１８６と第２アーム１８５とから手を離すと、バネ１８７のバネ力により第１アーム１８４が噴霧ヘッド本体１７１から離れる方向に移動し、これにより、一組の殺菌用１液収容容器１１０、１１０からの液体の吐出が停止される。
【００７４】
図１４は、足踏み操作式噴霧システム１９０を示す。この足踏み操作式噴霧システム１９０は、スタンド１９１を有し、スタンド１９１の下端に揺動可能に設けられたペダル１９２は、スタンド１９１の中に上下動可能に収容されたロッド１９３に関連付けられ、このロッド１９３の上端には、押しプレート１９４が設けられ、押しプレート１９４は、上下一対のバネ１９５、１９６に挟まれた状態で配置されている。
【００７５】
スタンド１９１の上部には、２本一組の殺菌用１液収容容器１１０、１１０を載置する置き台１９７が配設されており、置き台１９７の下面には、切断歯１９８を備えたロールティシュホルダ１９９が設けられている。ホルダ１９９に回転可能に保持されたティッシュロール２００から紙片を任意の長さ引き出した後に切断歯１９８を使って切り取ることができるようになっている。
【００７６】
また、ロールティシュホルダ１９９の下方には、蓋付きのゴミ箱２０１が設けられ、このゴミ箱２０１には廃棄可能なプラスチックシート袋２０２が収容可能である。ゴミ箱２０１の蓋２０３はペダル１９２と連動機構を介して連結され、ペダル１９２を踏んで押し下げるのに連動して蓋２０３が開くようにするのが好ましい。
【００７７】
置き台１９７には、２本一組の殺菌用１液収容容器１１０、１１０に手動操作式噴霧システム１７０（図１２、図１３）を組み付けた状態で設置される。
【００７８】
ペダル１９２を踏むと、ロッド１９３が下方に引き下げられ、これにより、上下一対のバネ１９５、１９６が共に圧縮しながら押しプレート１９４が下方に移動し、第１アーム１８４の先端部を介して噴霧ヘッド本体１７１を押し下げる。これにより一組の殺菌用１液収容容器１１０、１１０の各々から同時に内部ガス圧によってアルカリ液及び酸性液が吐出され、この２液は、混合噴霧ヘッド本体１７１の内部合流通路で１次混合され、ノズル１７３の内部でスワールにより２次混合された後に外部に噴射される。殺菌液の放出態様は、前述したように、キャップ１７４を調整することにより霧化状態から一直線の噴射状態まで変化させることができる。
【００７９】
２本一組の殺菌用１液収容容器１１０、１１０を交換するときや、図１３で説明した手動操作の態様で使用したいときには、押しプレート１９４をバネ力に抗して上方に動かすことで、２本一組の殺菌用１液収容容器１１０、１１０に手動操作式噴霧システム１７０を組み付けた状態でスタンド１９１から取り出すことができる。
【００８０】
したがって、病院内の緊急の出血洗浄殺菌などで手動操作式噴霧システム１７０の状態で殺菌したいときには、スタンド１９１から急いで取り外すことで、ハンディな状態で持ち運んで次亜塩素酸又は亜塩素酸による殺菌処置を行うことができる。
【００８１】
図１５、図１６は、ガス封入式２液区画殺菌用容器（図１、図４）に好適に適用可能な開閉弁付き２液混合ノズル２２０を示す。図１５、図１６は、図１に図示した２つのバッグ状内側容器１５、１６を内臓した形式の殺菌用２液収容容器を図示しているが、これは例示であり、図３に図示したように、一つのバッグ状内側容器１６と一本の可撓性チューブ２０とを備えた形式の殺菌用２液収容容器にも等しく適用可能であることは言うまでもない。
【００８２】
図１５、図１６を参照して、開閉弁付き２液混合ノズル２２０は、２つの液導入ポート２２１、２２２を有し、この液導入ポート２２１、２２２は夫々独立した比較的硬質のチューブ２２３、２２４で構成されている。すなわち２つの入口チューブ２２３、２２４は入口本体２２５と一体成型されたプラスチック部品で構成されている。
【００８３】
入口本体２２５には、２つの液導入ポート２２１、２２２が合流した１本の合流通路２２６を有し、この合流通路２２６の下流は拡大室２２７に通じている。入口本体２２５は、また、横方向に延びるガス注入ポート２２８を有し、このガス注入ポート２２８は拡大室２２７に連通している。
【００８４】
開閉弁付き２液混合ノズル２２０は、入口本体２２５に嵌合する出口本体２３０を有し、出口本体２３０には、上述した拡大室２２７に連通し且つ上下に貫通して延びる出口側通路２３１を有し、この出口側通路２３１の中に弁棒２３２が収容されており、弁棒２３２はバネ２３３によって上方つまり拡大室２２７から遠ざかる方向に付勢されている。
【００８５】
弁棒２３２は単一ノズル本体２３４と一体化され、ノズル本体２３４は、出口本体２３０から上方に突出している。ノズル本体２３４は、ノズル吐出口を上端面に備えたノズル通路２３５を有し、このノズル通路２３５の下端は横方向に延びるノズル液入口ポート２３６を通じて横方向に開放されている。
【００８６】
出口本体２３０には、ノズル液入口ポート２３６を臨む位置に配置された、ゴムなどの撓み変形可能な第１シートリング２４０の外周部分が固定されており、この第１シートリング２４０の内周部はノズル液入口ポート２３６の回りに形成された円形凹部２４１に嵌入した状態で配置されている。第１シートリング２４０の内周面は、第１シートリング２４０の内周部の撓み変形によってノズル液入口ポート２３６を開閉する弁機構を構成している。
【００８７】
出口本体２３０には、上述したガス注入ポート２２８を臨む位置に、ゴムなどの撓み変形可能な第２シートリング２４２が配設され、この第２シートリング２４２の外周面は、第２シートリング２４２の撓み変形によってガス注入ポート２２８を開閉する弁機構を構成している。
【００８８】
図１６を参照して、単一ノズル本体２３４をバネ２３３のバネ力に抗して若干押し下げると、凹部２４１と嵌合している第１シートリング２４０の内周部が下方に撓み変形して、ノズル液入口ポート２３６が開かれる。これにより、ガス圧より圧縮された状態の第１、第２の内側容器１５、１６からアルカリ溶液及び酸溶液が吐出され、この２液は、入口本体２２５の合流通路２２６で混合されて拡大室２２７に入り、第２シートリング２４２の中央開口２４２ａを通って、弁棒２３２の回りの出口側通路２３１に入り、次いで、ノズル液入口ポート２３６に入ってノズル通路２３５と通りノズル本体２３４から２液混合液が吐出される。
【００８９】
以上が、ユーザが操作する通常の使用形態での操作に伴う動作である。開閉弁付き２液混合ノズル２２０を備えた殺菌用２液収容容器を製造する段階では、開閉弁付き２液混合ノズル２２０に取り付けた２つのバッグ状内側容器１５、１６にアルカリ溶液と酸溶液とを各々に充填した後に耐圧缶体１０内にセットしてこれを密閉した後、開閉弁付きノズル２２０を使って液化ガス又は圧縮窒素ガスの封入作業を行うことができる。
【００９０】
すなわち、単一ノズル本体２３４を押し下げると、先ず、第１シートリング２４０の内周部が下方に撓み変形してノズル液入口ポート２３６が開かれる。ノズル本体２３４を更に深く押し下げると、これに伴う弁棒２３２の下方移動によって、弁棒２３２の円錐状先端が第２シートリング２４２の中央開口２４２ａと係合して、この中央開口２４２ａが閉塞されると共に第２シートリング２４２が下方に撓み変形する。
【００９１】
第２シートリング２４２の撓み変形により、第２シートリング２４２の外周面がガス注入ポート２２８から離れるとガス注入ポート２２８が開き、これにより、耐圧缶体１０の内部空間がノズル通路２３５、ノズル液入口ポート２３６、出口側通路２３１に連通した状態となる。この際、第２シートリング２４２の中央開口２４２ａが弁棒２３２により閉塞された状態にあることから、２液の流出は防止される。
【００９２】
したがって、ノズル本体２３４をガス源に接続した状態でノズル本体２３４を深く押し下げることにより、２液の流出を防止しつつ耐圧缶体１０の内部にガスを注入することができ、このガス注入作業が完了した段階で、ノズル本体２３４を解放すると、ノズル本体２３４はバネ２３３のバネ力によって上方に移動し、第１シートリング２４０、第２シートリング２４２が原状態に戻り、これにより、耐圧缶体１０とガス源との連通が断絶され、耐圧缶体１０の内部空間は密閉された状態に戻る。
【００９３】
図１５、図１６に図示の開閉弁付き２液混合ノズル２２０にあっては、２液を混合しながら外部に吐出させることができるだけでなく、ガス封入にも利用できるという利点がある。加えて、開閉弁付き２液混合ノズル２２０は、２つのポート２２１、２２２及び第２シートリング２４２で開閉されるガス注入ポート２２８を備えた入口本体２２５の構造を除いて、従来から大量に製造されている開閉ノズルと実質的に同じ構造である。したがって、この既存の開閉ノズルの設計に入口本体２２５及び第２シートリング２４２を加えるように修正するだけで、既存の設備を使って容易に製造することができるという実際上の大きな利点がある。
【００９４】
プッシュ式の開閉弁付き２液混合ノズル２２０に装着するのに適した噴霧ヘッド２５０を図１７に示す。噴霧ヘッド２５０は、単一ノズル本体２３４に挿入することにより開閉弁付き２液混合ノズル２２０に装着される。噴霧ヘッド２５０は、先に図９を参照して説明したキャップ３１及び回転流精製部材４３などを備えた構造を有し、単一ノズル本体２３４から吐出される２液混合液は、噴霧ヘッド２５０の出口端でスワールにより２次混合された後に噴孔３０を通じて外部に放出される。そして、この噴孔３０から放出される殺菌液の放出は、キャップ３１を回転させることにより霧化状態から直線状の噴射まで任意の態様に設定することができる。
【００９５】
以上、封入ガスの圧力で２液又は１液を吐出する形式の殺菌用容器を中心にして説明したが、ガス封入無しの形式の殺菌用容器を図１８以降の図面を参照して説明する。
【００９６】
図１８に図示の殺菌用２液収容容器３００は容器本体３０１を有し、容器本体３０１の中に内側容器３０２が収容されている。内側容器３０２は、容器本体３０１の口部３０３の端面と係合する外方フランジ３０４を有し、この外方フランジ３０４は、キャップ３０５を口部３０３にネジ止めすると、２つのシール材料３０６、３０７で挟持された状態で固定され、これにより、容器本体３０１の中に、内側容器３０２によって独立した液体収容空間が形成される。すなわち、容器本体３０１内には、容器本体３０１と内側容器３０２との間で形成される第１の液体収容空間３０８と、内側容器３０２内の第２の液体収容空間３０９とが形成され、これら第１、第２の液体収容空間３０８、３０９は互いに独立している。
【００９７】
内側容器３０２は、その上端の外方フランジ３０４の近傍に水平段部３１０（図１９）を有し、水平段部３１０とキャップ３０５とで形成される空間には、円形刃３１１を有する切断補助具３１２が収容されている。
【００９８】
内側容器３０２の中には前述した酸溶液又はアルカリ溶液のいずれか一方の溶液が収容され、容器本体３０１の中には他方の溶液が収容される。
【００９９】
酸溶液又はアルカリ溶液を調製するときに、前述したように、人体に対して殺菌液を使用する場合には、酸溶液及び／又はアルカリ溶液側に塩化ナトリウムを添加してもよく、また、酸溶液の調製に高濃度炭酸水（例えば溶存炭酸ガス２０００ppm以上又は過飽和炭酸水以上）を使用してもよい。
【０１００】
殺菌用２液収容容器３００は、図１９に図示の状態、つまり切断補助具３１２の円形刃３１１を上に向けた状態で市場に供給される。ユーザは、殺菌用２液収容容器３００を使用する段階で、キャップ３０５を外して、上側に位置する第２シール部材３０７を取り除くと共に切断補助具３１２を反転させて、円形刃３１１に下に向けた状態にする（図１８）。次いで、キャップ３０５を再び装着して強く締める。これにより、切断補助具３１２の円形刃３１１が、内側容器３０２の水平段部３１０に食い込んで切断する。次いで、ユーザは殺菌用２液収容容器３００を上下及び／又は左右に振ることで２液を攪拌混合させることができる。
【０１０１】
上述した殺菌用２液収容容器３００は、図２０に例示した噴霧器３１５と組み合わせて殺菌水の噴霧を行うのがよい。噴霧器３１５は、容器本体３０１の口部３０３と螺合する装着部３１６を有し、噴霧器３１５を容器本体３０１に装着するときには、先に取り外した第２シール部材３０７を使用するのが都合がよい。
【０１０２】
噴霧器３１５は、容器本体３０１の底まで延びる可撓性の吸い込みチューブ３１７を有し、このチューブ３１７の先端に錘３１８を固着するのがよい。噴霧器３１５は、従来から既知のレバー３１９を引き絞ることにより可撓性チューブ３１７を通じて殺菌液を汲み上げ、汲み上げた殺菌水を噴孔３０から吐出させることができる。
【０１０３】
噴孔３０の近傍に、図１０を参照して既に説明した回転流生成部材４３を設けるが好ましく、これによりキャップ３１を操作することで、霧化状態から直線状の噴射状態まで任意に態様で殺菌液を吐出させることができる。
【０１０４】
図２１は、噴霧器３１５を使用した殺菌液の噴霧の応用例を例示するものであり、図１１に例示した応用例と同様に、噴霧器３１５に包囲カバー６０を装着して治療に用いることができる。この治療の際に、傷口の状態に応じてキャップ３１を回転させて殺菌液を直線状に噴射させることにより殺菌しつつ膿の塊を取り除くこともできる。処置後の殺菌水は、受け皿６２に受ければ衛生的である。
【０１０５】
図２２は、噴霧器３１５の変形例を例示するものである。変形例の噴霧器３２０は、従来から既知のプッシュ式噴霧器であり、ヘッド３２１を押し下げることにより３０１内の殺菌液を吐出させることができる。この噴霧器３２０にあっても、キャップ３１を回転させることにより霧化状態から直線状の噴射状態まで任意に態様で殺菌液を吐出させることができるようにするのが好ましい。
【０１０６】
図２３、図２４は、殺菌用２液収容容器の変形例を示す。変形例の殺菌用２液収容容器３３０は、図１８を参照して説明した容器本体３０１、内側容器３０２、２つのシール材料３０６、３０７などを有し、容器本体３０１の中に、内側容器３０２によって独立した液体収容空間が形成されるのは上述した殺菌用２液収容容器３００と同様である。
【０１０７】
キャップ３０５の中には、窪み３３１を備えたハット状の留め補助具３３２が収容され、この留め補助具３３２には、その中央に貫通孔３３３が形成されている。内側容器３０２の中には、ガタ付き防止リブ３３４を備えた切断具３３５が内蔵され、この切断具３３５は、内側容器３０２の軸線に沿って延びている。
【０１０８】
切断具３３５は、その上端に、補助具３３２の貫通孔３３３に密に嵌入する突起３３６を有し、下端に傾斜した切断刃３３７が形成されている。
【０１０９】
殺菌用２液収容容器３３０は、図２４に図示の状態、つまりハット状の留め補助具３３２の帽部を上に向け、切断具３３５の上端が留め補助具３３２の窪み３３１の中に侵入した状態で、貫通孔３３３に突起３３６を嵌め込んで固定した状態で市場に供給される。この状態では、切断具３３５の下端つまり切断刃３３７が内側容器３０２の底から離間した状態にある（図示せず）。
【０１１０】
このような市場に供給する態様で、留め補助具３３２のガタ付きを防止するのに、キャップ３０５の内面に凹所３３９（図２３）を設け、この凹所に留め補助具３３２の帽部を嵌合させることにより補助具３３２をキャップ３０５に固定するのが好ましい（図２４参照）。
【０１１１】
ユーザは、殺菌用２液収容容器３３０を使用する段階で、キャップ３０５を外して、上側に位置する第２シール部材３０７を取り除くと共に切断具３３５を留め補助具３３２から外して留め補助具３３２を反転させて、帽部を下に向けた状態にする（図２３）。次いで、キャップ３０５を再び装着して強く締める。これにより、切断具３３５は補助具３３２の帽部を介して下に押し下げられ、切断具３３５の下端つまり切断刃３３７が、内側容器３０２の底に食い込んで切断する。次いで、ユーザは殺菌用２液収容容器３００を上下及び／又は左右に振ることで２液を攪拌混合させることができる。
【０１１２】
上述した殺菌用２液収容容器３００、３３０は２液が常圧の状態で収容されることから、容器本体３０１は耐圧容器である必要はなく、したがって比較的安価に製造することができる。容器本体３０１の大きさは、特に制限されるものではないが、現在飲料容器に多用されている５００ミリリットル、１リットルのＰＥＴボトルの大きさであってもよく、また、１０リットル又は１５リットルの生ビール樽程度の大きさ、或いは２０リットルのポリタンクの大きさを有していてもよい。逆に、容器本体３０１を、例えば女性のハンドバッグに収容して常時携帯できるような小型容器であってもよい。
【０１１３】
例えば、容器本体３０１を、例えばＰＥＴ（ポリエチレンテレフタレート）の成型品で構成するときには、内側容器３０２の本体部分３０２ａをラミネートフィルムのような材料で作るのが（図２２参照）、容器本体３０１の中に内側容器３０２を挿入するのに都合がよい。内側容器３０２を比較的硬質の材料で作るときには、内側容器３０２を挿入できるように、容器本体３０１の口部３０３の口径を大きくするのがよい。
【０１１４】
上述した殺菌用２液収容容器３００、３３０によれば、２液が常圧の状態で収容されることから、換言すれば、封入ガスにより加圧状態で収容されていないことから、これに収容されるアルカリ溶液つまり次亜塩素酸塩及び／又は亜塩素酸塩、典型的には、次亜塩素酸ナトリウム及び／又は亜塩素酸ナトリウムの希釈水溶液は、例えば10,000ppmというような比較的高濃度であってもよく、このように高濃度のアルカリ溶液を収容した状態で市場に供給するときには、ユーザ側で、容器本体３０１の中で２液を混合した後に、適当に希釈して使用すればよい。
【０１１５】
一般的には８００ppm以上（場合によっては５００ppm以上）であれば、pＨ調整液を混入するまでもなく長期に保存しても安定した状態を保持することができる。したがって、殺菌用２液収容容器３００、３３０にあっては、次亜塩素酸ナトリウム及び／又は亜塩素酸ナトリウムの希釈水溶液をアルカリ調整液でpＨ調整しない場合があってもよい。
【０１１６】
また、ユーザ側で行う２液混合の作業は、キャップ３０５を外して再び装着するなど、容器内に収容された２液に全く触れることなく実施することができるため、作業に伴って内容物（化学薬品）が手に付着するなどの問題の発生を防止することができる。
【０１１７】
次亜塩素酸又は亜塩素酸を使った殺菌は、最近の報告で、例えばpＨ5.5且つ有効塩素濃度５０ppmで、酵母菌、黄色ブドウ球菌、ＣＮＳ、バルチス、ミクロコッカス、アシネトバクター、MRSAなどを効果的に殺菌できることが認められている。したがって、病院での院内感染などの社会問題に対して、実施例の殺菌用容器を使うことで、手軽に且つ任意の箇所を殺菌できるだけでなく、安価に提供できることは社会的に大きな意義がある。また、実施例の殺菌用容器は、これを大量に製造して安価に提供することができることから、一般家庭でも手軽に入手することができ、これを常時保存しておいて、SARS問題のような突発的に発生した病気の蔓延や衛生を保つために、各家庭毎に次亜塩素酸又は亜塩素酸を使った殺菌を利用できる。
【図面の簡単な説明】
【０１１８】
【図１】ガス封入２バッグ式殺菌用容器の概略断面図である。
【図２】ガス封入２相式殺菌用容器の概略断面図である。
【図３】ガス封入１液１バッグ式殺菌用容器の概略断面図である。
【図４】図１のガス封入２バッグ式殺菌用容器の変形例としてのガス封入２液１バッグ式殺菌用容器の概略断面図である。
【図５】２液混合ノズルを装着したガス封入２液収容殺菌容器を示し、図８のＶ−Ｖ線に沿った断面図である。
【図６】図５に図示の２液混合ノズルの内部構造を２次元的に示す説明図である。
【図７】図５の２液混合噴霧ヘッドを装着したガス封入２液収容殺菌容器の平面図である。
【図８】２液混合噴霧ヘッドを装着したガス封入２液収容殺菌容器の概略断面図である。
【図９】図８などに示す２液混合噴霧ヘッドの拡大断面図である。
【図１０】図９の２液混合噴霧ヘッドの先端部に装着される回転流生成部材の斜視図である。
【図１１】２液混合噴霧ヘッドを装着したガス封入２液収容殺菌容器の使用例として混合噴霧ヘッドに包囲カバーを装着した治療例を説明するための図である。
【図１２】２本一組で使用する殺菌用１液収容容器に適用するのに好適な手動操作式噴霧システムの側面図である。
【図１３】図１２の手動操作式噴霧システムの平面図である。
【図１４】図１２などに図示した手動操作式噴霧システムを利用できる足踏み操作式噴霧システムの側面図である。
【図１５】２液混合ノズルを備えたガス封入２液収容容器の断面図である。
【図１６】図１５に図示の２液混合ノズルの断面図である。
【図１７】図１６の２液混合ノズルに好適に装着される噴霧ヘッドの断面図である。
【図１８】常圧２液収容容器の概略断面図であり、ユーザが２液混合するときの態様を図示した図である。
【図１９】図１８に図示の常圧２液収容容器を保存するときの態様を示す部分断面図である。
【図２０】常圧２液収容容器を入手したユーザが２液混合した後に噴霧器を装着した状態を示す図である。
【図２１】図２０に図示の噴霧器付き常圧２液収容容器の使用例として噴霧器に包囲カバーを装着した治療例を説明するための図である。
【図２２】常圧２液収容容器を入手したユーザが２液混合した後に他の噴霧器を装着した状態を示す図である。
【図２３】常圧２液収容容器の変形例の概略断面図であり、ユーザが２液混合するときの態様を図示した図である。
【図２４】図２３に図示の常圧２液収容容器を保存するときの態様を示す部分断面図である。
【符号の説明】
【０１１９】
１０    耐圧缶体
１１、１２  ノズル
１３、１４  開閉弁
１５、１６  内側容器
１７    ガス封入空間
２２０    開閉弁付きノズル
２２１、２２２  液導入ポート
２２６    合流通路
２２８    ガス注入ポート
２３４    ノズル本体
２３５    吐出口
２３６    ノズル液入口ポート
２４０    第１シートリング
２４１    円形凹部
２４２    第２シートリング
２４２ａ  第２シートリングの中央開口
【図１】
2004337582.tif 000003
【図２】
2004337582.tif 000004
【図３】
2004337582.tif 000005
【図４】
2004337582.tif 000006
【図５】
2004337582.tif 000007
【図６】
2004337582.tif 000008
【図７】
2004337582.tif 000009
【図８】
2004337582.tif 000010
【図９】
2004337582.tif 000011
【図１０】
2004337582.tif 000012
【図１１】
2004337582.tif 000013
【図１２】
2004337582.tif 000014
【図１３】
2004337582.tif 000015
【図１４】
2004337582.tif 000016
【図１５】
2004337582.tif 000017
【図１６】
2004337582.tif 000018
【図１７】
2004337582.tif 000019
【図１８】
2004337582.tif 000020
【図１９】
2004337582.tif 000021
【図２０】
2004337582.tif 000022
【図２１】
2004337582.tif 000023
【図２２】
2004337582.tif 000024
【図２３】
2004337582.tif 000025
【図２４】
2004337582.tif 000026